(57)【要約】【課題】粘性を持つ溶液等を電子レンジで一定時間沸騰状態で加熱しても泡が容器から吹きこぼれるおそれのない電子レンジ加熱用のポットを提供する。【解決手段】ポット１は、上部に開口７を有する容器２と、容器の開口７に嵌合する合成樹脂製の蓋３及び合成樹脂製の多孔板４とを有する。蓋３には液体を注ぎ出す抽出口１５を設ける。多孔板４は、蓋３と共に容器２に着脱できるように、ねじ筒１４，１７を介して蓋３の下方に固定する。多孔板４は、容器２内の液面より上方に配置し、容器にスナップ係合させる。蓋３と多孔板４とは接続、分離可能である。電子レンジでの加熱で、沸騰した粘性を帯びる液体の泡が吹き上がっても多孔板４の多数の孔１６で破壊され吹きこぼれない。蓋３と多孔板４とを分離して細部まで容易に洗浄できる。【選択図】図１
0003097304.tif 000002
【実用新案登録請求の範囲】
【請求項１】
上部に開口を有するガラス製の容器と、
容器内の被加熱液体を注ぎ出すための注ぎ口を有し、容器の開口に嵌合する合成樹脂製の蓋と、
この蓋と共に容器に着脱できるように、連結部材を介して蓋の下方に固定され、容器の内側にスナップ係合して被加熱液体の液面より上方に間隔を置いて配置される合成樹脂製の多孔板とを具備し、
前記連結部材は、前記蓋の中央から下方へ突出したねじ筒と、前記多孔板の中央から上方へ突出し前記ねじ筒に螺合する対応ねじ筒とを具備し、
前記蓋と前記多孔板とが接続、分離可能に構成されることを特徴とする電子レンジ加熱用ポット。
【請求項２】
前記容器が、側壁の外周下部に底壁に平行な環状の係合溝を備えると共に、底壁外面の少なくとも外縁部及び側壁外周の少なくとも下部を被覆し、前記係合溝に弾性的に係合する係合部を有する合成樹脂製のプロテクタを備えることを特徴とする請求項１に記載の電子レンジ加熱用ポット。
【請求項３】
前記多孔板が、前記容器の縊部にスナップ契合する係合片を周縁部に有することを特徴とする請求項１に記載の電子レンジ加熱用ポット。
【考案の詳細な説明】
【０００１】
【産業上の利用分野】
本考案は、液体を電子レンジで加熱するためのポットに関し、ふきこぼれの多い食材の加熱、例えば黒豆茶、ドクダミ茶、花茶等の健康茶あるいは生薬の煎出し、玄米等の穀物の煮込みに使用するのに適した加熱用ポットに関するものである。
【０００２】
【従来の技術】
粘性を持つ溶液等を一定時間沸騰状態で加熱しても泡が容器から吹きこぼれるおそれのない加熱用ポットとして、特開平８−１０１６７号の公報に記載されたものが知られている。この加熱用ポットは、上部に開口を有する耐熱ガラス製の容器と、この容器内に収容する液体の面より上方に間隔を置いて、容器の内側に着脱可能に嵌合する金属製の網体とを具備する。沸騰した液体の泡が液面上へ吹き上がってきても、それが網体に達すると、網目よって破壊され、これよりも上に吹き上がらず、吹きこぼれの心配がない。
【０００３】
【考案が解決しようとする課題】
上記従来の加熱用ポットは、金属製の蓋、網体を有するので、電子レンジでの使用に適さない。
本考案の課題は、粘性を持つ溶液等を電子レンジで一定時間沸騰状態で加熱しても泡が容器から吹きこぼれるおそれのない電子レンジ加熱用のポットを提供することである。
【０００４】
【課題を解決するための手段】
本考案においては、上記課題を解決するため、上部に開口７を有する容器２と、容器の開口７に嵌合する合成樹脂製の蓋３及び合成樹脂製の多孔板４とを具備させて電子レンジ加熱用のポット１を構成する。蓋３には容器２内の液体を注ぎ出す注ぎ口１５を設ける。多孔板４は、蓋３と共に容器２に着脱できるように、連結部材１４，１７を介して蓋３の下方に固定する。多孔板４は、容器２内の液体の液面より上方に間隔を置いて配置し、容器の内側にスナップ係合させる。連結部材は、蓋３の中央から下方へ突出したねじ筒１４と、多孔板４の中央から上方へ突出した対応ねじ筒１７とで構成し、蓋３と多孔板４とを接続、分離可能にする。
【０００５】
本考案の加熱用ポット１を用いて、例えば生薬を煎じる場合には、これを水と共に容器２内に収容し、蓋３と共に多孔板４を装着する。この状態で、電子レンジで、所定時間加熱して沸騰状態を維持する。生薬抽出液が粘性を帯びる場合等には、泡が液面上へ吹き上がってくる。多孔板４が容器２にスナップ係合しているので、押し上げられて容器２から離脱することはない。吹き上がる泡は、多孔板４に達すると、多数の孔１６によって破壊され、これよりも上に吹き上がらない。従って、吹きこぼれの心配がない。蓋３と多孔板４とを分離すれば細部まで容易に洗浄でき、清潔に保つことができる。
【０００６】
【考案の実施の形態】
図面を参照して本考案の実施の形態を説明する。図１は加熱用ポットの断面図、図２は加熱用ポットの平面図、図３は多孔板の平面図、図４は加熱用ポットの分解斜視図である。
【０００７】
ポット１は、耐熱ガラス製の容器２と、容器２の開口７に嵌合される合成樹脂製の蓋３と、容器２内に嵌め込まれる合成樹脂製の多孔板４を備えている。
【０００８】
容器２は、耐熱ガラス製で、ほぼ円形の底壁５と、ほぼ上すぼまり円筒形の側壁６とを有し、上部にほぼ円形の開口７を有する。側壁６は、下部外周に環状の係合溝８、上部に縊部９を有し、その上部に上広がりの受け部１０を有する。容器２の底部には、合成樹脂製のプロテクタ１１が固着されている。プロテクタ１１は、底壁５の周辺部と側壁６の下縁部とを被覆するリング状のもので、起立片の内周に形成された突条１２が係合溝８に弾性的に係合している。
【０００９】
蓋３は、マイクロ波低損失の合成樹脂製で、縁部を容器２の受け部１０上に載せて、開口７を閉鎖するように容器２に装着される。蓋４は、中央から上方に突出した摘み１３、これと反対に下方へ突出したねじ筒１４、容器２内の液体を注ぎ出すための注ぎ口１５を有する。
【００１０】
多孔板４は、マイクロ波低損失の合成樹脂製で、外縁部が容器２の縊部９上に載る円盤状に構成されており、上下に貫通する多数の孔１６を有する。孔１６は、実施例において直径１．５ｍｍ、縦横の列間隔６．５ｍｍで配置される。多孔板５は、中央から上方に突出したねじ筒１７と、周縁から下方へ延出した係合片１８を備える。ねじ筒１７は、ねじ筒１４と螺合して多孔板４と蓋３とを連結する。係合片１８は、容器の縊部９にスナップ係合する。従って、多孔板５は、蓋４と一体に容器２に着脱できるようになっている。
【００１１】
この実施例の加熱用ポット１を用いて、例えば生薬を煎じる場合には、生薬を水と共に容器２内に収容し、蓋３を装着し、多孔板４を水面より上方に間隔を置いて配置する。この状態で、電子レンジで所定時間加熱して沸騰状態を維持する。生薬抽出液が粘性を帯びる場合等には、泡が液面上へ吹き上がってくる。多孔板４が容器２にスナップ係合しているので、押し上げられて容器から離脱することはない。吹き上がる泡は、多孔板４に達すると、多数の孔１６によって破壊され、これよりも上に吹き上がらない。従って、吹きこぼれの心配がない。抽出液を注ぎ出すときには、容器２を傾けると、生薬は合成樹脂製の多孔板５で漉され、液のみが蓋４の注ぎ口１５を経て注ぎ出される。蓋３と多孔板４とを分離して洗浄すれば細部まで常時清潔に保つことができる。容器２の底部はプロテクタ１１によって被覆されているので、衝撃に対して保護される。このポットは電子レンジ専用であるから、直火での使用を避ける必要があるが、底部に合成樹脂製のプロテクタ１１があるので、誤って直火にかけるおそれがない。
【００１２】
【考案の効果】
以上のように、本考案においては、上部に開口７を有する容器２と、容器の開口７に嵌合する合成樹脂製の蓋３及び合成樹脂製の多孔板４とを具備させてポット１を構成したため、電子レンジで使用でき、沸騰によって粘性のある泡が吹き上がっても、多孔板４に達すると、多数の孔１６によって破壊され、これよりも上に吹き上がらず、吹きこぼれの心配がない。多孔板４は、ねじ筒１４，１７からなる連結部材を介して蓋３の下方に固定するから、蓋３と共に容器２に着脱でき、分離すれば細部まで容易に洗浄でき、清潔に保つことができる。多孔板４が容器２にスナップ係合するで、押し上げられて容器２から離脱することはない等の効果を有する。
【図面の簡単な説明】
【図１】加熱用ポットの断面図である。
【図２】加熱用ポットの平面図である。
【図３】多孔板の平面図である。
【図４】加熱用ポットの分解斜視図である。
【符号の説明】
１　　加熱用ポット
２　　容器
３　　蓋
４　　多孔板
５　　底壁
６　　側壁
７　　開口
８　　係合溝
９　　縊部
１０　受け部
１１　プロテクタ
１２　突条
１３　摘み
１４　ねじ筒
１５　注ぎ口
１６　孔
１７　ねじ筒
１８　係合片
【図１】
0003097304.tif 000003
【図２】
0003097304.tif 000004
【図３】
0003097304.tif 000005
【図４】
0003097304.tif 000006